(57)【要約】【課題】撮影シーケンスの実行終了時、次の撮影シーケンスとして、操作者による煩雑な操作を要することなく、操作者の所望の撮影シーケンスを簡易に実行可能とすること。【解決手段】眼科撮影装置は、被検眼を少なくとも１回撮影する第１の撮影シーケンスと、第１の撮影シーケンスと異なる第２の撮影シーケンスと、を含む複数の撮影シーケンスのいずれかを選択する選択手段と、第１の撮影シーケンスの実行が終了した場合には、次に実行する撮影シーケンスとして第１の撮影シーケンスを再度実行可能なように選択手段を制御し、第２の撮影シーケンスの実行が終了した場合には、次に実行する撮影シーケンスとして第２の撮影シーケンスと異なる撮影シーケンスを実行可能なように選択手段を制御する制御手段とを有する。【選択図】図６
2017153812.tif 000002
【特許請求の範囲】
【請求項１】
被検眼を少なくとも１回撮影する第１の撮影シーケンスと、前記第１の撮影シーケンスと異なる第２の撮影シーケンスと、を含む複数の撮影シーケンスのいずれかを選択する選択手段と、
前記第１の撮影シーケンスの実行が終了した場合には、次に実行する撮影シーケンスとして前記第１の撮影シーケンスを再度実行可能なように前記選択手段を制御し、前記第２の撮影シーケンスの実行が終了した場合には、次に実行する撮影シーケンスとして前記第２の撮影シーケンスと異なる撮影シーケンスを実行可能なように前記選択手段を制御する制御手段と
を有することを特徴とする眼科撮影装置。
【請求項２】
前記撮影シーケンスの終了指示を受け付けた場合に、前記撮影シーケンスが終了したと判定する判定手段をさらに有することを特徴とする請求項１に記載の眼科撮影装置。
【請求項３】
前記撮影シーケンスにおける撮影対象の人物が変更された場合に、前記撮影シーケンスが終了したと判定する判定手段をさらに有することを特徴とする請求項１に記載の眼科撮影装置。
【請求項４】
前記撮影対象の人物の変更通知を、情報処理装置から受信する受信手段をさらに有し、
前記判定手段は、前記受信手段が前記変更通知を受信した場合に、前記撮影シーケンスが終了したと判定することを特徴とする請求項３に記載の眼科撮影装置。
【請求項５】
前記撮影シーケンスの終了指示を受け付け、かつ前記撮影シーケンスにおける撮影対象の人物が変更された場合に、前記撮影シーケンスが終了したと判定する判定手段をさらに有することを特徴とする請求項１に記載の眼科撮影装置。
【請求項６】
前記選択手段により選択された前記撮影シーケンスに対する変更指示を受け付けた場合に、前記変更指示に従い、前記次に実行する撮影シーケンスを変更する変更手段をさらに有することを特徴とする請求項１乃至５何れか１項に記載の眼科撮影装置。
【請求項７】
前記第１の撮影シーケンスは、周辺撮影の撮影シーケンスであることを特徴とする請求項１乃至６何れか１項に記載の眼科撮影装置。
【請求項８】
前記第２の撮影シーケンスは、ステレオ撮影の撮影シーケンスであることを特徴とする請求項１乃至７何れか１項に記載の眼科撮影装置。
【請求項９】
前記撮影シーケンスの終了後に、前記選択手段により選択された撮影シーケンスの撮影画面を表示手段に表示させる表示制御手段をさらに有することを特徴とする請求項１乃至８何れか１項に記載の眼科撮影装置。
【請求項１０】
前記撮影画面は、前記撮影シーケンスの変更指示を受け付けるための変更ボタンを含み、
前記表示制御手段は、前記変更ボタンが選択された場合に、前記複数の撮影シーケンスを一覧表示した撮影シーケンスの選択画面を表示手段に表示させることを特徴とする請求項９に記載の眼科撮影装置。
【請求項１１】
被検眼を少なくとも１回撮影する撮影シーケンスを実行するよう撮像手段を制御する制御手段と、
第１の撮影シーケンスの実行が終了した場合には、前記第１の撮影シーケンスを前記制御手段が次に実行する撮影シーケンスとして決定し、前記第１の撮影シーケンスと異なる第２の撮影シーケンスの実行が終了した場合には、前記第２の撮影シーケンスと異なる撮影シーケンスを前記制御手段が次に実行する撮影シーケンスとして決定する決定手段と
を有することを特徴とする眼科撮影装置。
【請求項１２】
眼科撮影装置が実行する制御方法であって、
被検眼を少なくとも１回撮影する第１の撮影シーケンスと、前記第１の撮影シーケンスと異なる第２の撮影シーケンスと、を含む複数の撮影シーケンスのいずれかを選択する選択ステップと、
前記第１の撮影シーケンスの実行が終了した場合には、次に実行する撮影シーケンスとして前記第１の撮影シーケンスを再度実行可能なように前記選択ステップを制御し、前記第２の撮影シーケンスの実行が終了した場合には、次に実行する撮影シーケンスとして前記第２の撮影シーケンスと異なる撮影シーケンスを実行可能なように前記選択ステップを制御する制御ステップと
を含むことを特徴とする制御方法。
【請求項１３】
眼科撮装置が実行する制御方法であって、
被検眼を少なくとも１回撮影する撮影シーケンスを実行するよう撮像手段を制御する制御ステップと、
第１の撮影シーケンスの実行が終了した場合には、前記第１の撮影シーケンスを次に実行する撮影シーケンスとして決定し、前記第１の撮影シーケンスと異なる第２の撮影シーケンスの実行が終了した場合には、前記第２の撮影シーケンスと異なる撮影シーケンスを次に実行する撮影シーケンスとして決定する決定ステップと
を含むことを特徴とする制御方法。
【請求項１４】
コンピュータを、
被検眼を少なくとも１回撮影する第１の撮影シーケンスと、前記第１の撮影シーケンスと異なる第２の撮影シーケンスと、を含む複数の撮影シーケンスのいずれかを選択する選択手段と、
前記第１の撮影シーケンスの実行が終了した場合には、次に実行する撮影シーケンスとして前記第１の撮影シーケンスを再度実行可能なように前記選択手段を制御し、前記第２の撮影シーケンスの実行が終了した場合には、次に実行する撮影シーケンスとして前記第２の撮影シーケンスと異なる撮影シーケンスを実行可能なように前記選択手段を制御する制御手段と
して機能させるためのプログラム。
【請求項１５】
コンピュータを、
被検眼を少なくとも１回撮影する撮影シーケンスを実行するよう撮像手段を制御する制御手段と、
第１の撮影シーケンスの実行が終了した場合には、前記第１の撮影シーケンスを前記制御手段が次に実行する撮影シーケンスとして決定し、前記第１の撮影シーケンスと異なる第２の撮影シーケンスの実行が終了した場合には、前記第２の撮影シーケンスと異なる撮影シーケンスを前記制御手段が次に実行する撮影シーケンスとして決定する決定手段と
して機能させるためのプログラム。
【発明の詳細な説明】
【技術分野】
【０００１】
本発明は、眼科撮影装置、制御方法及びプログラムに関する。
【背景技術】
【０００２】
従来、眼科撮影装置において、被検眼を少なくとも１回撮影する一連の撮影処理である撮影シーケンスを実行することが知られている。このとき、撮影シーケンスとして、個々の撮影タイミングを登録するための表示を行う医療用撮影装置が、特許文献１に開示されている。
【先行技術文献】
【特許文献】
【０００３】
【特許文献１】特開２０１０−５０７３号公報
【発明の概要】
【発明が解決しようとする課題】
【０００４】
ここで、撮影シーケンスの実行終了時、次の撮影シーケンスを実行する際に、一例として、撮影対象となる患者が変わった場合を考える。このとき、診断目的によって、同じ撮影シーケンスを繰り返し実行させたい場合もあれば、先の撮影シーケンスとは異なる撮影シーケンスを実行させたい場合もある。
【０００５】
本発明の目的の一つは、撮影シーケンスの実行終了時、次の撮影シーケンスとして、操作者による煩雑な操作を要することなく、操作者の所望の撮影シーケンスを簡易に実行可能とすることである。
【課題を解決するための手段】
【０００６】
そこで、本発明は、眼科撮影装置であって、被検眼を少なくとも１回撮影する第１の撮影シーケンスと、前記第１の撮影シーケンスと異なる第２の撮影シーケンスと、を含む複数の撮影シーケンスのいずれかを選択する選択手段と、前記第１の撮影シーケンスの実行が終了した場合には、次に実行する撮影シーケンスとして前記第１の撮影シーケンスを再度実行可能なように前記選択手段を制御し、前記第２の撮影シーケンスの実行が終了した場合には、次に実行する撮影シーケンスとして前記第２の撮影シーケンスと異なる撮影シーケンスを実行可能なように前記選択手段を制御する制御手段とを有することを特徴とする。
【発明の効果】
【０００７】
本発明によれば、撮影シーケンスの実行終了時、次の撮影シーケンスとして、操作者による煩雑な操作を要することなく、操作者の所望の撮影シーケンスを簡易に実行可能とすることができる。
【図面の簡単な説明】
【０００８】
【図１】眼科撮影装置の外観図である。
【図２】眼科撮影装置のハードウェア構成を示す図である。
【図３】内部固視灯の表示位置の一例を示す図である。
【図４】選択スイッチの構成例を示す図である。
【図５】撮影シーケンスの説明図である。
【図６】撮影制御処理を示すフローチャートである。
【図７】撮影制御処理を示すフローチャートである。
【図８】モニタの表示例を示す図である。
【図９】他の例に係る撮影シーケンスの一例を示す図である。
【発明を実施するための形態】
【０００９】
以下、本発明の実施形態について図面に基づいて説明する。
図１は、本実施形態に係る眼科撮影装置１００の外観図である。被検眼を観察・撮影するための光学系を備えた光学本体１０１は、固定基台１０２上を前後左右に移動可能な可動ステージ１０３に固定されている。また、可動ステージ１０３には、ジョイスティック１０４が設置されている。また、ジョイスティック１０４の上部には撮影スイッチ１０５が設けられている。検査者は、ジョイスティック１０４の操作によって、可動ステージ１０３を所望の位置へ移動させることが可能となっている。また、眼科撮影装置１００は、ＰＣ２００と有線又は無線により通信可能である。ここで、ＰＣ２００は、情報処理装置の一例である。検査者は、ＰＣ２００において、被検査者を識別する被検査者ＩＤの入力、選択等の操作を行う。
【００１０】
図２は、眼科撮影装置１００のハードウェア構成を示す図である。図２において、図１に示す構成と同様の構成については、同じ符号を付している。眼科撮影装置１００は、被検眼Ｅの眼底Ｅｒを撮影する眼底カメラの機能を有している。光軸Ｌ１上には、ハロゲンランプ等の定常光（観察光）を発する眼底観察用光源１１１、コンデンサレンズ１１２、赤外光を透過し可視光を遮断するフィルタ１１３、ストロボ等の撮影用光源１１４、レンズ１１５、ミラー１１６がこの順に配置されている。ミラー１１６の反射方向の光軸Ｌ２上には、リング状開口を有するリング絞り１１７、フォーカス指標投影部１１８、リレーレンズ１１９、中央部に開口を有する穴あきミラー１２０がこの順に配置されている。
【００１１】
穴あきミラー１２０の反射方向の光軸Ｌ３上には、被検眼Ｅの前眼部の観察を行うための補助レンズ１２１と、被検眼Ｅに対向して対物レンズ１２２がこの順に配置されている。補助レンズ１２１は、光軸Ｌ３に対して挿脱可能となっている。また、穴あきミラー１２０の穴部には、撮影絞り１２３が配置されている。また、穴あきミラー１２０の被検眼Ｅと反対方向の光軸Ｌ３上には、光軸Ｌ３上の位置を移動することによりピントを調整するフォーカスレンズ１２４、撮影レンズ１２５、ハーフミラー１２６、撮像素子１４１が順次配置されている。撮像素子１４１は、撮影カメラ１４０の内部に設けられており、被検眼Ｅの動画観察と静止画撮影の機能を備えている。また、撮像素子１４１は、可視波長のみではなく赤外波長に対しても感度を持ち、赤外画像をも撮影可能となっている。
【００１２】
ハーフミラー１２６の反射方向の光軸Ｌ４上には、内部固視灯１２７が配置されている。内部固視灯１２７は、光源が２次元平面状に配設されており、システム制御部１５０に接続されている。また、内部固視灯１２７は、点灯位置の移動スイッチ１２８の操作、及び撮影シーケンスで規定した順番で、システム制御部１５０の制御に基づいて、発光する光源を選択可能になっている。この内部固視灯１２７は、光学系内に配置され、被検眼Ｅの固視目標となる固視光を照明するものである。
【００１３】
撮影カメラ１４０には、上述した撮像素子１４１に加えて、画像処理部１４２及びモニタ１４３が設けられている。撮像素子１４１で得られた被検眼Ｅの観察像である眼底像及び被検眼Ｅの撮影画像である眼底画像は、画像処理部１４２に出力されて処理される。画像処理部１４２は、被検眼Ｅの眼底像等をモニタ１４３に出力して表示させる。さらに、画像処理部１４２は、被検眼Ｅの眼底像及び眼底画像を、接続されたシステム制御部１５０に出力する。
【００１４】
システム制御部１５０は、ＣＰＵ１５１と、メモリ１５２と、を有している。ＣＰＵ１５１は、眼科撮影装置１００全体を制御する。メモリ１５２は、各種の情報を記憶する。例えば、メモリ１５２は、眼科撮影装置１００の状態に係る情報を一時的に記憶する。また、例えば、メモリ１５２は、可動ステージ１０３の位置から判別した被検眼Ｅの左右情報等を記憶する。システム制御部１５０は、眼底観察用光源１１１の光量調整、点灯、消灯などの制御や、撮影用光源１１４の光量調整、点灯、消灯などの制御を行う。システム制御部１５０はまた、被検眼Ｅの付近に配置された前眼観察光源１３３の光量調整、点灯、消灯等の制御も行う。
【００１５】
システム制御部１５０には、フォーカススイッチ１３４が接続している。検査者によりフォーカススイッチ１３４が操作されたとする。この場合、システム制御部１５０は、フォーカス指標駆動部１３１を制御して、フォーカス指標投影部１１８を光軸Ｌ２の矢印方向に移動させ、また、フォーカスレンズ駆動部１３２を制御して、フォーカスレンズ１２４を光軸Ｌ３の矢印方向に移動させる。なお、システム制御部１５０は、フォーカス指標投影部１１８及びフォーカスレンズ１２４の移動を連動させるようにする。
【００１６】
また、システム制御部１５０には、被検眼Ｅの観察状態において前眼と眼底Ｅｒとを切り替えるアライメントの切換スイッチ１０６が接続されている。システム制御部１５０は、検査者による切換スイッチ１０６の操作に応じて、光軸Ｌ３上への補助レンズ１２１の挿入や光軸Ｌ３上からの補助レンズ１２１の離脱を行う。
【００１７】
また、システム制御部１５０には、メニューの選択スイッチ１３５が接続されている。システム制御部１５０は、画像処理部１４２を介して撮影カメラ１４０のモニタ１４３に撮影シーケンス、及び眼底カメラ動作を選択するためのメニューの表示を行う。システム制御部１５０はまた、選択スイッチ１３５の選択により選択された結果を眼底カメラの状態として、メモリ１５２に記憶する。通信部１３６は、ＰＣ２００等の他の装置との通信を行う。なお、後述する眼科撮影装置１００の機能や処理は、ＣＰＵ１５１がメモリ１５２に格納されているプログラムを読み出し、このプログラムを実行することにより実現されるものである。
【００１８】
図３は、内部固視灯１２７表示位置の一例を示す図である。内部固視灯１２７にはＸＹの２次元平面上において、Ｘ方向に７つ、Ｙ方向に５つの区切られたブロックが設けられ、各ブロックに発光光源が配置されている。そして、システム制御部１５０による指示に従い、各発光光源が、独立して点灯することができる。
【００１９】
図４は、選択スイッチ１３５の構成例を示す図である。選択スイッチ１３５は、メニューを選択するための変更スイッチ４０１と、選択されたメニュー項目を実行するための実行スイッチ４０２を有している。検査者は、変更スイッチ４０１を操作して、モニタ１４３に表示されたメニュー内の項目の選択を変更後、実行スイッチ４０２を操作して、選択された項目を実行する。
【００２０】
次に、図５を参照しつつ撮影シーケンスについて説明する。撮影シーケンスとは、少なくとも１回撮影する一連の撮影処理である。図５（ａ）は、眼科撮影装置１００が実行可能な撮影シーケンスを示す図である。本実施形態に係る眼科撮影装置１００は、通常撮影、ステレオ撮影、周辺撮影の３つの撮影シーケンスを実行することができる。さらに、ステレオ撮影は、ステレオＡ及びステレオＢの異なる２つの撮影モードを含んでいる。ステレオＡ及びステレオＢの撮影モードとしては、例えばモノクロとカラー等が挙げられる。同様に、周辺撮影は、周辺Ａ及び周辺Ｂの異なる２つの撮影モードを含んでいる。
【００２１】
各撮影シーケンスに関するシーケンス情報は、メモリ１５２に記憶されている。図５（ｂ）は、周辺撮影の撮影モード係るシーケンス情報の一例を示す図である。シーケンス情報は、撮影シーケンスを識別するシーケンスＩＤと、撮影モードを識別するモードＩＤと、撮影条件とを含んでいる。図５の例においては、シーケンス名「周辺撮影」がシーケンスＩＤであり、モード名「周辺Ａ」がモードＩＤである。また、図５に示すように、周辺撮影においては、撮影番号と、撮影番号に対応する内部固視灯点灯位置が撮影条件として設定されている。なお、眼科撮影装置１００が実行可能な撮影シーケンス及び撮影モードの数及び種類は本実施形態に限定されるものではない。
【００２２】
ＣＰＵ１５１は、撮影シーケンス情報に従って、撮影カメラ１４０による撮影を制御する。図５（ｂ）に示す撮影シーケンス「周辺撮影」の撮影モード「周辺Ｂ」を実行する場合のＣＰＵ１５１の処理について説明する。ＣＰＵ１５１は、まず撮影番号１の撮影の実行に先立ち、撮影番号１に対応する内部固視灯点灯位置Ｘ＝４，Ｙ＝３に配置された発光光源を点灯するよう制御する。その後、ＣＰＵ１５１は、撮影番号１に対応した撮影を行うよう撮影カメラ１４０を制御する。そして、ＣＰＵ１５１は、撮影番号１に対応する撮影の実行後、撮影番号２の撮影に先立ち、撮影番号２に対応する内部固視灯点灯位置Ｘ＝４，Ｙ＝２に配置された発光光源を点灯するよう制御する。その後、ＣＰＵ１５１は、撮影番号２に対応した撮影を行うよう撮影カメラ１４０を制御する。そして、ＣＰＵ１５１は、撮影番号３に対応する内部固視灯点灯位置Ｘ＝４，Ｙ＝６に配置された発光光源を点灯するよう制御する。続いて、ＣＰＵ１５１は、撮影番号３に対応した撮影を行うよう撮影カメラ１４０を制御する。こうして、撮影条件に示されるすべての撮影番号に対応する撮影が完了すると、撮影シーケンスの実行を終了する。
【００２３】
図６及び図７は、撮影制御処理を示すフローチャートである。眼科撮影装置１００の電源投入を契機に撮影制御処理が開始する。Ｓ６００において、ＣＰＵ１５１は、初期設定として通常撮影を実行可能な撮影シーケンスとして設定し、表示部としてのモニタ１４３に、通常撮影の撮影画面を表示させる。なお、本実施形態に係る眼科撮影装置１００においては、初期状態においては、実行対象の撮影シーケンスは、通常撮影に設定されるものとする。ここで、通常撮影シーケンスは、基準の撮影シーケンスの一例である。
【００２４】
図８（ａ）は、撮影画面８００の一例を示す図である。撮影画面８００には、シーケンス変更ボタン８０１が表示されている。検査者により、シーケンス変更ボタン８０１が選択されると、ＣＰＵ１５１は、シーケンスメニュー画面の表示指示を受け付ける。ＣＰＵ１５１は、シーケンスメニュー画面の表示指示を受け付けると、図８（ｂ）に示すシーケンスメニュー画面８１０を表示する。シーケンスメニュー画面８１０には、眼科撮影装置１００において実行可能な撮影シーケンスの種類が一覧表示される。シーケンスメニュー画面８１０にはさらに、処理の終了指示を受け付けるための「撮影終了」ボタンも表示されている。また、ステレオ撮影のように、複数の撮影モードを有している撮影シーケンスが選択された場合には、撮影モードを選択するための別ウインドウ８１１が重畳表示される。なお、他の例としては、シーケンスメニュー画面８１０に、各撮影モードが一覧表示されてもよい。ここで、シーケンスメニュー画面８１０は、撮影シーケンスの選択画面の一例である。
【００２５】
初期設定として、通常撮影が開始可能な状態に準備されているが、検査者が通常撮影以外の撮影シーケンスを行いたい場合もある。このような場合には、検査者は、撮影画面８００に表示されるシーケンス変更ボタン８０１を選択し、シーケンスメニュー画面８１０を表示させる。そして、検査者は、シーケンスメニュー画面８１０において所望の撮影シーケンスを選択すればよい。これにより、次に実行する撮影シーケンスを、所望の撮影シーケンスに変更することができる。
【００２６】
図６に戻り、Ｓ６０１において、ＣＰＵ１５１は、シーケンス変更ボタン８０１の選択に応じて、シーケンスメニュー画面の表示指示を受け付けたか否かを確認する。ＣＰＵ１５１は、表示指示を受け付けた場合には（Ｓ６０１でＹｅｓ）、処理をＳ６０２へ進める。ＣＰＵ１５１は、表示指示を受け付けなかった場合には（Ｓ６０１でＮｏ）、処理をＳ６０５へ進める。Ｓ６０２において、ＣＰＵ１５１は、図８（ｂ）に示すシーケンスメニュー画面８１０を表示する。次に、Ｓ６０３において、ＣＰＵ１５１は、検査者による入力を待つ。ＣＰＵ１５１は、シーケンスメニュー画面８１０における、検査者による撮影シーケンス及び撮影モードの選択に応じて、変更指示を受け付けると（Ｓ６０３で変更指示）、処理をＳ６０４へ進める。ＣＰＵ１５１は、検査者による「撮影終了」ボタンの選択に応じて、終了指示を受け付けると（Ｓ６０３で終了指示）、撮影制御処理を終了する。
【００２７】
Ｓ６０４において、ＣＰＵ１５１は、変更指示に係る撮影シーケンスを次に実行する撮影シーケンスとして設定し、変更指示に係る撮影シーケンスの撮影画面をモニタ１４３に表示させる。本処理は、次に実行する撮影シーケンスを変更する変更処理の一例である。次に、Ｓ６０５において、ＣＰＵ１５１は、検査者から、撮影シーケンスの実行開始指示を受け付け、実行開始指示に従い、撮影シーケンスの実行を開始する。なお、Ｓ６０５における処理については、図７を参照しつつ後に詳述する。Ｓ６０５における撮影シーケンスの実行が完了すると、ＣＰＵ１５１は、処理をＳ６０６へ進める。
【００２８】
Ｓ６０６において、ＣＰＵ１５１は、直前に実行が完了した撮影シーケンスの種類を確認する。ＣＰＵ１５１は、直前に実行が完了した撮影シーケンスが通常撮影又はステレオ撮影の場合には（Ｓ６０６で通常撮影又はステレオ撮影）、処理をＳ６０７へ進める。ＣＰＵ１５１は、直前に実行した撮影シーケンスが周辺撮影の場合には（Ｓ６０６で周辺撮影）、処理をＳ６０８へ進める。Ｓ６０７において、ＣＰＵ１５１は、通常撮影を次の撮影シーケンスとして決定し、決定した撮影シーケンスを次の撮影シーケンスとして設定する。そして、ＣＰＵ１５１は、通常撮影の撮影画面をモニタ１４３に表示させ（表示制御処理）、その後処理をＳ６０１へ進める。一方、Ｓ６０８において、ＣＰＵ１５１は、直前に実行した撮影シーケンス、すなわち周辺撮影を次の撮影シーケンスとして決定し、決定した撮影シーケンスを次の撮影シーケンスとして設定する。そして、ＣＰＵ１５１は、次の撮影シーケンスの撮影画面をモニタ１４３に表示させ（表示制御処理）、その後処理をＳ６０１へ進める。
【００２９】
このように、本実施形態に係るＣＰＵ１５１は、撮影シーケンスの実行が終了した場合に、次に実行する撮影シーケンスを選択する選択部として機能する。さらに、ＣＰＵ１５１は、周辺撮影の撮影シーケンスの実行が終了した場合には、次に実行する撮影シーケンスとして、周辺撮影の撮影シーケンスを再度実行可能なように選択部を制御する制御部として機能する。ＣＰＵ１５１はまた、ステレオ撮影の撮影シーケンスの実行が終了した場合には、次に実行する撮影シーケンスとして、ステレオ撮影と異なる撮影シーケンス、すなわち通常撮影の撮影シーケンスを実行可能なように選択部を制御する制御部として機能する。
【００３０】
なお、撮影シーケンスの終了後に、通常撮影に戻る撮影シーケンスと、同じ撮影シーケンスが繰り返される撮影シーケンスは、予め設定され、また検査者や管理者等によって任意に変更が可能であるものとする。本実施形態においては、通常撮影やステレオ撮影の撮影シーケンスの終了後には、通常撮影の撮影シーケンスが実行される場合が多いことに対応し、通常撮影及びステレオ撮影の実行終了時には、通常撮影を実行可能な状態に設定することとした。また、周辺撮影の撮影シーケンスの終了後には、周辺撮影の撮影シーケンスが繰り返される場合が多いことに対応し、周辺撮影の実行終了時には、周辺撮影が再度実行可能な状態に設定することとした。これにより、操作者（検査者）による煩雑な操作を要することなく、検査者の所望の撮影シーケンスを実行可能とするよう制御することができる。
【００３１】
なお、ＣＰＵ１５１は、撮影制御処理の実行中に、操作者が先に説明した物理キーである選択スイッチ１３５を操作した場合には、撮影制御処理に関わらず、シーケンスメニュー画面８１０をモニタ１４３に表示させることができる。シーケンスメニュー画面８１０において撮影シーケンスが選択されると、実行中の撮影シーケンスが中断され、新たに選択された撮影シーケンスを処理対象として、Ｓ６０４以降の処理が行われる。
【００３２】
図７は、図６を参照しつつ説明した撮影シーケンス実行制御処理（Ｓ６０５）における詳細な処理を示すフローチャートである。Ｓ７００において、ＣＰＵ１５１は、補助レンズ１２１を光軸Ｌ３に挿入するよう制御する。次に、Ｓ７０１において、ＣＰＵ１５１は、Ｓ６０４において設定された撮影シーケンスのシーケンス情報を特定する。次に、Ｓ７０２において、ＣＰＵ１５１は、実行対象の撮影番号として、「１」をメモリ１５２に記録する。
【００３３】
次に、Ｓ７０３において、ＣＰＵ１５１は、前眼観察光源１３３を点灯するよう制御する。これにより、前眼観察光源１３３から射出した光束は、被検眼Ｅの前眼部を照明する。そして、被検眼Ｅの前眼部に達した光束は、被検眼Ｅで反射・散乱されて被検眼Ｅから射出し、対物レンズ１２２、撮影絞り１２３、フォーカスレンズ１２４、撮影レンズ１２５、ハーフミラー１２６を介した後、撮像素子１４１に結像する。次に、Ｓ７０４において、ＣＰＵ１５１は、撮像素子１４１で撮像された眼底像をモニタ１４３に表示させる。
【００３４】
このとき、検査者は、モニタ１４３に表示された前眼部像を観察しながら、ジョイスティック１０４の操作によって可動ステージ１０３を移動させ、被検眼Ｅと当該被検眼Ｅを観察・撮影するための光学系を備えた光学本体１０１との位置合せの粗調整を行う。粗調整を行った後、検査者は、アライメントの切換スイッチ１０６を操作する。これに対し、Ｓ７０５において、ＣＰＵ１５１は、切換スイッチ１０６の操作に応じて、切換指示を受け付けると（Ｓ７０５でＹｅｓ）、処理をＳ７０６へ進める。Ｓ７０６において、ＣＰＵ１５１は、補助レンズ１２１を光軸Ｌ３から離脱させるよう制御する。次に、Ｓ７０７において、ＣＰＵ１５１は、前眼観察光源１３３を消灯するよう制御する。
【００３５】
次に、Ｓ７０８において、ＣＰＵ１５１は、眼底観察用光源１１１を点灯するよう制御する。眼底観察用光源１１１から射出した光束は、コンデンサレンズ１１２で集光され、フィルタ１１３で可視光がカットされて赤外光のみが透過する。透過した赤外光は、ストロボ等の撮影用光源１１４を透過して、レンズ１１５、ミラー１１６及びリング絞り１１７によりリング光束とされる。その後、リング光束は、リレーレンズ１１９を通って穴あきミラー１２０により被検眼Ｅの方向に偏向され、対物レンズ１２２を介して被検眼Ｅの眼底Ｅｒを照明する。そして、眼底Ｅｒに達した光束は、眼底Ｅｒで反射・散乱されて被検眼Ｅから射出し、対物レンズ１２２、撮影絞り１２３、フォーカスレンズ１２４、撮影レンズ１２５、ハーフミラー１２６を介した後、撮像素子１４１に結像する。そして、画像処理部１４２は、撮像素子１４１で撮像された眼底像をモニタ１４３に出力して表示させる。
【００３６】
次に、Ｓ７０９において、ＣＰＵ１５１は、実行対象の撮影番号に対応する撮影準備を行う。例えば、周辺撮影においては、ＣＰＵ１５１は、実行対象の撮影番号に対応する撮影条件として示される内部固視灯点灯位置を参照し、内部固視灯１２７の発光光源を特定し、特定した発光光源を発光させるよう制御する。
【００３７】
このとき、検査者は、モニタ１４３に表示された眼底像を確認しながらフォーカススイッチ１３４を操作して眼底のフォーカス調整を行い、次いで、被検眼Ｅと当該被検眼Ｅを観察・撮影するための光学系を備えた光学本体１０１との位置合せの微調整を行う。その後、検査者は、眼底像の黄斑部や視神経乳頭部の位置が所望の位置となっていることを確認した後、撮影スイッチ１０５を押す。
【００３８】
これに対し、Ｓ７１０において、ＣＰＵ１５１は、撮影スイッチ１０５の押下に応じて撮影指示を受け付けると（Ｓ７１０でＹｅｓ）、処理をＳ７１１へ進める。Ｓ７１１において、ＣＰＵ１５１は、撮影指示に応じて、被検眼Ｅの眼底Ｅｒに係る眼底撮影を行うよう制御する。この眼底撮影により、被検眼Ｅの眼底画像が得られる。次に、Ｓ７１２において、ＣＰＵ１５１は、撮影した眼底画像をモニタ１４３に表示させる。
【００３９】
次に、Ｓ７１３において、ＣＰＵ１５１は、可動ステージ１０３が移動され、メモリ１５２に記憶されている被検眼Ｅの左右情報が変化したか否かを確認する。ＣＰＵ１５１はさらに、検査者によりアライメントの切換スイッチ１０６が操作され、補助レンズ１２１が光軸Ｌ３に挿入されたか否かを確認する。ＣＰＵ１５１は、左右情報が変化した場合及び補助レンズ１２１が光軸Ｌ３に挿入された場合のいずれかの場合に該当する場合には（Ｓ７１３でＹｅｓ）、処理を図６に示すＳ６０２へ進め、シーケンスメニュー画面を表示するよう制御する。ＣＰＵ１５１は、左右情報が変化した場合及び補助レンズ１２１が光軸Ｌ３に挿入された場合のいずれの場合にも該当しない場合には（Ｓ７１３でＮｏ）、処理をＳ７１４へ進める。
【００４０】
このように、本実施形態に係る眼科撮影装置１００は、撮影シーケンスの実行中においても、検査者の操作に応じて、実行中の撮影シーケンスを中断し、シーケンスメニュー画面を表示し、新たに選択された撮影シーケンスに応じた処理を開始することができる。
【００４１】
次に、Ｓ７１４において、ＣＰＵ１５１は、最終の撮影番号に対応する撮影が終了したか否かを判定する。ＣＰＵ１５１は、最終の撮影番号に対応する撮影が終了した場合には（Ｓ７１４でＹｅｓ）、処理をＳ７１８へ進める。ＣＰＵ１５１は、最終の撮影番号に対応する撮影が終了していない場合には（Ｓ７１４でＮｏ）、処理をＳ７１５へ進める。
【００４２】
Ｓ７１５において、ＣＰＵ１５１は、眼底画像の表示画面上に次撮影ボタン及び再撮影ボタンを重畳して表示するよう制御する。図８（ｃ）は、このとき表示される表示画面８２０の一例を示す図である。表示画面８２０には、次撮影ボタン８２１と、再撮影ボタン８２２が表示されている。次撮影ボタン８２１が選択された場合には、ＣＰＵ１５１は、次の撮影番号の撮影に進むための処理を行う。再撮影ボタン８２２が選択された場合には、ＣＰＵ１５１は、同じ撮影番号の撮影をやり直すための処理を行う。再撮影は、撮影に失敗した場合等に実行される。
【００４３】
Ｓ７１６において、ＣＰＵ１５１は、検査者による操作を待つ。ＣＰＵ１５１は、再撮影ボタンが選択された場合には（Ｓ７１６で再撮影）、処理をＳ７１０へ進める。なお、このとき、検査者は、必要に応じて、眼底フォーカス調整、アライメント等を行った上で、再度撮影スイッチ１０５を押下する。また、Ｓ７１６において、ＣＰＵ１５１は、次撮影ボタンが選択された場合には（Ｓ７１６で次撮影）、処理をＳ７１７へ進める。Ｓ７１７において、ＣＰＵ１５１は、メモリ１５２に記憶されている実行対象の撮影番号を１加算する。ＣＰＵ１５１は、その後処理をＳ７０９へ進める。これにより、次の撮影が実行される。
【００４４】
一方、Ｓ７１８においては、ＣＰＵ１５１は、眼底画像の表示画面上にシーケンス変更ボタン、再撮影ボタン及び撮影終了ボタンを重畳して表示するよう制御する。図８（ｄ）は、このとき表示される表示画面８３０の一例を示す図である。表示画面８３０には、シーケンス変更ボタン８３１と、再撮影ボタン８３２と、終了確認ボタン８３３と、が表示されている。シーケンス変更ボタン８３１が選択された場合には、ＣＰＵ１５１は、シーケンスメニュー画面を表示するよう制御する。再撮影ボタン８３２が選択された場合には、ＣＰＵ１５１は、同じ撮影番号の撮影をやり直すための処理を行う。終了確認ボタン８３３が選択された場合には、ＣＰＵ１５１は、実行中の撮影シーケンスの処理を終了する。
【００４５】
Ｓ７１９において、ＣＰＵ１５１は、検査者による操作を待つ。ＣＰＵ１５１は、シーケンス変更ボタン８３１が選択された場合には（Ｓ７１９でシーケンス変更）、処理を図６に示すＳ６０２へ進める。ＣＰＵ１５１は、再撮影ボタン８３２が選択された場合には（Ｓ７１９で再撮影）、処理をＳ７１０へ進める。ＣＰＵ１５１はまた、終了確認ボタン８３３が選択された場合には（Ｓ７１９で撮影終了）、処理をＳ７２０へ進める。Ｓ７２０において、ＣＰＵ１５１は、ＰＣ２００から被検者の変更通知を受信したか否かを確認する。ＣＰＵ１５１は、被検者の変更通知を受信することにより、撮影対象の人物が変更されたと判定することができる。なお、検査者は、撮影シーケンスが終了し、次の被検者を対象とした撮影シーケンスの実行に移行する際に、次の被検者の識別情報を入力又は選択する。ＰＣ２００は、被検者のＩＤが入力又は選択された場合に、被検者の変更通知を眼科撮影装置１００に送信する。ＣＰＵ１５１は、被検者の変更通知を受け付けるまで待機し、被検者の変更通知を受け付けると（Ｓ７２０でＹｅｓ）、撮影シーケンス実行制御処理を終了し、処理をＳ６０６へ進める。
【００４６】
このように、ＣＰＵ１５１は、検査者の入力に応じた終了指示を受け付け、さらにＰＣ２００から被検者の変更通知を受信したことにより、撮影対象の人物が変更されたと判定した場合に、撮影シーケンスが終了したと判定する。なお、本処理は、判定処理の一例である。なお、他の例としては、ＣＰＵ１５１は、終了指示を受け付けたことを条件に、撮影シーケンスが終了したと判定してもよい。また、他の例としては、ＣＰＵ１５１は、撮影対象の人物が変更されたことを条件に、撮影シーケンスが終了したと判定してもよい。
【００４７】
周辺撮影の撮影シーケンスは、連続して実行される場合が多い。これに対し、第１の実施形態に係る眼科撮影装置１００は、周辺撮影の撮影シーケンスの実行後には、同一の撮影シーケンスが実行可能なように準備を行うことができる。一方で、通常撮影及びステレオ撮影の撮影シーケンスの実行後には、通常撮影が実行される場合が多い。これに対応し、眼科撮影装置１００は、通常撮影及びステレオ撮影の撮影シーケンスの実行後には、通常撮影の撮影シーケンスを実行可能なように準備を行うことができる。したがって、操作者による煩雑な操作を要することなく、適切な撮影シーケンスを実行可能とするよう制御することができる。
【００４８】
また、本実施形態の変更例としては、１つの撮影シーケンスに複数の撮影モードの撮影が含まれていてもよい。図９は、複数の撮影モードの撮影を含む撮影シーケンスの一例を示す図である。図９に示す撮影シーケンスには、カラー撮影とＲｅｄＦｒｅｅフィルタ撮影と、眼底自発蛍光を撮影するＦＡＦ撮影が含まれている。このように、１つの撮影シーケンスに複数の撮影モードが含まれている場合には、ＣＰＵ１５１は、Ｓ７０９において、撮影モードを撮影番号に対応する撮影モードに変更する処理を行うものとする。
【００４９】
以上、本発明の好ましい実施形態について詳述したが、本発明は係る特定の実施形態に限定されるものではなく、特許請求の範囲に記載された本発明の要旨の範囲内において、種々の変形・変更が可能である。
【００５０】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００５１】
１００  眼科撮影装置
１４３  モニタ
１５１  ＣＰＵ
２００  ＰＣ
【図１】
2017153812.tif 000003
【図２】
2017153812.tif 000004
【図３】
2017153812.tif 000005
【図４】
2017153812.tif 000006
【図５】
2017153812.tif 000007
【図６】
2017153812.tif 000008
【図７】
2017153812.tif 000009
【図８】
2017153812.tif 000010
【図９】
2017153812.tif 000011